(57)【要約】【課題】ＡＰＣ機能を有する記録装置におけるフィードバック系の遅延を低減するのに有利な技術を提供する。【解決手段】記録装置は、発光素子と、前記発光素子の発光量に応じた値の電流をモニタ電流として出力する受光素子と、前記受光素子に接続され、前記モニタ電流と参照電流とを比較する判定部と、前記判定部による比較結果に基づいて前記発光素子を駆動する駆動部と、第１電流を生成する電流生成部と、前記電流生成部と前記判定部との間の経路に配され、制御信号を受けて該制御信号に応じた比率を前記電流生成部から受けた前記第１電流の値に乗じることによって得られる値の第２電流を前記参照電流として出力する変換部と、を備える。【選択図】図１
2017063110.tif 000002
【特許請求の範囲】
【請求項１】
発光素子と、
前記発光素子の発光量に応じた値の電流をモニタ電流として出力する受光素子と、
前記受光素子に接続され、前記モニタ電流と参照電流とを比較する判定部と、
前記判定部による比較結果に基づいて前記発光素子を駆動する駆動部と、
第１電流を生成する電流生成部と、
前記電流生成部と前記判定部との間の経路に配され、制御信号を受けて該制御信号に応じた比率を前記電流生成部から受けた前記第１電流の値に乗じることによって得られる値の第２電流を前記参照電流として出力する変換部と、を備える
ことを特徴とする記録装置。
【請求項２】
前記判定部は、第１入力端子と第２入力端子とを有する比較器を含み、
前記受光素子の前記モニタ電流を出力する出力端子と、前記変換部の前記参照電流を出力する出力端子と、前記第１入力端子とは、導電部材で互いに接続され、
前記第２入力端子には参照電圧が入力される
ことを特徴とする請求項１に記載の記録装置。
【請求項３】
前記変換部は、２以上のカレントミラー回路を含み、
前記２以上のカレントミラー回路のそれぞれは互いに異なるミラー比に基づく値の電流を出力し、
前記２以上のカレントミラー回路のそれぞれは前記制御信号に基づいてアクティブになる
ことを特徴とする請求項１または請求項２に記載の記録装置。
【請求項４】
前記発光素子と前記判定部と前記駆動部とは１つのグループを形成しており、
前記記録装置は、前記グループを複数有しており、前記複数のグループのうちの１つにおける前記判定部を前記受光素子に接続するスイッチをさらに備える
ことを特徴とする請求項１から請求項３のいずれか１項に記載の記録装置。
【請求項５】
前記発光素子からの光を受ける感光ドラムと、
前記感光ドラムの使用量に応じた信号を前記制御信号として用いて前記変換部を制御する制御部と、をさらに備える
ことを特徴とする請求項１から請求項４のいずれか１項に記載の記録装置。
【請求項６】
発光素子と、
前記発光素子の発光量に応じた値の電流をモニタ電流として出力する受光素子と、
第１電流を生成する電流生成部と、
前記電流生成部から前記第１電流を受けると共に、制御信号を受けて該制御信号に応じた比率を前記第１電流の値に乗じることによって得られる値の第２電流を参照電流として出力する変換部と、
前記受光素子の前記モニタ電流を出力する出力端子および前記変換部の前記参照電流を出力する出力端子の双方に接続された第１入力端子と、参照電圧を受ける第２入力端子とを有する比較器と、
前記比較器からの出力に基づいて前記発光素子を駆動する駆動部と、を備える
ことを特徴とする記録装置。
【請求項７】
発光素子を駆動するための駆動信号を出力するための第１端子と、
受光素子からのモニタ電流を受けるための第２端子と、
前記第２端子に接続され、前記モニタ電流と参照電流とを比較する判定部と、
前記判定部による比較結果に基づいて前記第１端子へ前記駆動信号を出力する駆動部と、
第１電流を生成する電流生成部と、
前記電流生成部と前記判定部との間の経路に配され、制御信号を受けて該制御信号に応じた比率を前記電流生成部から受けた前記第１電流の値に乗じることによって得られる値の第２電流を前記参照電流として出力する変換部と、を備える
ことを特徴とする発光素子駆動用基板。
【発明の詳細な説明】
【技術分野】
【０００１】
本発明は、記録装置および発光素子駆動用基板に関する。
【背景技術】
【０００２】
電子写真方式の記録装置（レーザープリンタ等）は、例えば、感光ドラムにレーザー光を照射するための発光素子を備える。まず、帯電させた感光ドラムに対して、記録データに基づいて発光素子によりレーザー光を照射する。これにより、感光ドラムにおけるレーザー光が照射された部分の電位が下がり、感光ドラム上に記録データに基づく電位分布が形成される（潜像）。次に、この感光ドラムに着色粉末であるトナーを付着させる。感光ドラムに付着するトナーは、感光ドラム上の電位分布にしたがう（現像）。その後、感光ドラムに付着したトナーを紙等の記録媒体に転写することにより、記録データにしたがう画像が記録媒体上に形成される。
【０００３】
記録装置のなかには、レーザー光が適切な光量（目標値）に維持されるように発光素子の駆動を制御するものがある。このような制御は、自動光量制御（Ａｏｕｔ  Ｐｏｗｅｒ  Ｃｏｎｔｒｏｌ（ＡＰＣ））とも称される。ＡＰＣ機能を有する記録装置は、例えば、発光素子と、発光素子からの光を受ける受光素子と、受光素子からの電流を受けるモニタと、発光素子を駆動する駆動部とを備える。該駆動部は、ＡＰＣの際に、モニタからのモニタ結果を保持し、その後の記録の際に、該保持されたモニタ結果に基づく駆動力で発光素子を駆動する。
【先行技術文献】
【特許文献】
【０００４】
【特許文献１】特開２０１２−３８９５９号公報
【発明の概要】
【発明が解決しようとする課題】
【０００５】
特許文献１の図１には、上述のモニタに対応する比較器と、受光素子との間に電流‐電流変換器が配されたフィードバック系の回路構成が開示されている。具体的には、ＡＰＣにおいて、受光素子からの電流（モニタ電流）を電流‐電流変換器で変換した結果が比較器にフィードバックされる。しかしながら、この構成によると、上記フィードバック系に、モニタ電流を電流‐電流変換器で変換することによる遅延が生じる。
【０００６】
本発明の目的は、ＡＰＣ機能を有する記録装置におけるフィードバック系の遅延を低減するのに有利な技術を提供することにある。
【課題を解決するための手段】
【０００７】
本発明の一つの側面は記録装置にかかり、前記記録装置は、発光素子と、前記発光素子の発光量に応じた値の電流をモニタ電流として出力する受光素子と、前記受光素子に接続され、前記モニタ電流と参照電流とを比較する判定部と、前記判定部による比較結果に基づいて前記発光素子を駆動する駆動部と、第１電流を生成する電流生成部と、前記電流生成部と前記判定部との間の経路に配され、制御信号を受けて該制御信号に応じた比率を前記電流生成部から受けた前記第１電流の値に乗じることによって得られる値の第２電流を前記参照電流として出力する変換部と、を備えることを特徴とする。
【発明の効果】
【０００８】
本発明によれば、ＡＰＣ機能を有する記録装置におけるフィードバック系の遅延を低減するのに有利である。
【図面の簡単な説明】
【０００９】
【図１】記録装置の全体構成例を説明するための図である。
【図２】記録装置の構成の具体例を説明するための図である。
【図３】記録装置の構成の具体例を説明するための図である。
【発明を実施するための形態】
【００１０】
（第１実施形態）
図１は、第１実施形態に係る記録装置１００の全体構成例を示している。記録装置１００は、電子写真方式の記録装置（例えばレーザープリンタ）である。記録装置１００は、例えば、発光素子１１０、受光素子１２０、発光素子駆動用基板２００および感光ドラム３００を備える。基板２００は、例えば、判定部１３０、駆動部１４０、電流生成部１５０、電流‐電流変換部１６０および制御部１７０を含む。
【００１１】
発光素子１１０は、アノードが、電源電圧ＶＣＣが伝搬する電源ノードｎＶＣＣに接続され、且つ、カソードが、駆動部１４０に接続されるように配される。発光素子１１０は、例えばレーザーダイオードであり、駆動部１４０により駆動されることにより発光し、その発光光（レーザー光）を感光ドラム３００に照射する。
【００１２】
受光素子１２０は、カソードが電源ノードｎＶＣＣに接続され、且つ、アノードが判定部１３０に接続されるように配される。受光素子１２０は、フォトダイオード等の光電変換素子であり、発光素子１１０の発光光を受けて、その光量に応じた値の電流Ｉｍをモニタ電流として出力する。具体的には、受光素子１２０は、ＡＰＣを含む動作時において逆バイアス状態となっており、発光素子１１０の発光光により受光素子１２０で発生した電荷は、その量に応じた値のモニタ電流Ｉｍを形成する。
【００１３】
制御部１７０は、例えば、記録動作を制御するためのＣＰＵ、プロセッサ等であり、電流生成部１５０および電流‐電流変換部１６０を制御信号ｓｉｇ１及びｓｉｇ２によりそれぞれ制御する。例えば、電流生成部１５０は、定電流である基準電流Ｉ１（第１電流）を生成し、制御部１７０からの制御信号ｓｉｇ１に応答して該生成された基準電流Ｉ１を電流‐電流変換部１６０に出力する。他の例では、電流生成部１５０は、制御信号ｓｉｇ１に応答して基準電流Ｉ１を生成し、該生成された基準電流Ｉ１を電流‐電流変換部１６０に出力してもよい。
【００１４】
電流‐電流変換部１６０は、電流生成部１５０と判定部１３０との間の経路に配され、電流生成部１５０から基準電流Ｉ１を受ける。そして、電流‐電流変換部１６０は、制御部１７０からの制御信号ｓｉｇ２に応じた比率を基準電流Ｉ１の値に乗じて得られた値の電流Ｉ２を参照電流（第２電流）として出力する。電流‐電流変換部１６０は、単に「変換部」と称されてもよい。また、参照電流Ｉ２は、発光素子１１０の発光量の目標値に対応し、「ターゲット電流」と称されてもよい。なお、詳細は後述するが、制御信号ｓｉｇ２は複数の信号を含みうる。
【００１５】
判定部１３０は、受光素子１２０および電流‐電流変換部１６０に接続されており、モニタ電流Ｉｍと参照電流Ｉ２とに基づいて、発光素子１１０の発光量が目標値に達したか否かを判定する。詳細は後述とするが、判定部１３０は、例えば比較器を含み、該比較器によりモニタ電流Ｉｍと参照電流Ｉ２との比較を行い、その比較結果に基づいて、発光素子１１０の発光量が目標値に達したか否かを判定する。
【００１６】
駆動部１４０は、上記比較結果に基づいて発光素子１１０を駆動する。具体的には、駆動部１４０は、例えば、情報保持部（例えばサンプリング回路）とドライバとを含む（ともに不図示）。そして、駆動部１４０は、ＡＰＣ完了時の判定部１３０からの出力を、発光素子１１０の発光量を目標値にするため情報として情報保持部に保持する。ドライバは、その後の記録の際に、情報保持部に保持された情報に応じた駆動信号を用いて発光素子１１０を駆動する。
【００１７】
即ち、発光素子１１０、受光素子１２０、判定部１３０、駆動部１４０、電流生成部１５０および電流‐電流変換部１６０は、発光素子１１０の発光量を目標値に近付けるためのフィードバック系を形成しており、このような構成によりＡＰＣが実現される。なお、ここではアノード駆動型のレーザーの構成例を示したが、カソード駆動型の構成にしてもよい。
【００１８】
図２（ａ）は、記録装置１００の構成例をより具体的に示している。基板２００は、端子Ｔ１〜Ｔ３（電極パッド）を備える。第１端子Ｔ１は、発光素子１１０に接続され、駆動部１４０は、端子Ｔ１を介して発光素子１１０を駆動する。第２端子Ｔ２は、受光素子１２０に接続され、基板２００は、端子Ｔ２を介してモニタ電流Ｉｍを受ける。第３端子Ｔ３は、定電圧である参照電圧Ｖｒｅｆを受ける。
【００１９】
電流‐電流変換部１６０は、例えば、トランジスタＭ１０〜１３及びＭ２０〜２３により形成されるカレントミラー回路を含み、制御信号ｓｉｇ２（具体的には、制御信号ｓｉｇ２１Ａ、２１Ｂ、２２Ａ及び２２Ｂ）により制御される。これらトランジスタＭ１０等には、例えばＮＭＯＳトランジスタが用いられうる。トランジスタＭ１０〜１３は、第１のカレントミラー回路１６１を形成しており、また、トランジスタＭ２０〜２３は、第２のカレントミラー回路１６２を形成している。
【００２０】
ここで、電流生成部１５０からの基準電流Ｉ１が流れるノードをノードｎ１とする。接地ノードをノードｎ２とする。ノードｎ１とノードｎ２との間に位置するノードをノードｎ３とする。ノードｎ１とノードｎ２との間に位置するノードであってノードｎ３とは異なる他のノードをノードｎ４とする。また、参照電流Ｉ２が流れるノードであって電流‐電流変換部１６０の出力端子に対応するノードをノードｎ５とする。
【００２１】
カレントミラー回路１６１について、トランジスタＭ１０は、ドレインがノードｎ１に接続され、ソースがノードｎ３に接続され、ゲートで制御信号ｓｉｇ２１Ａを受けるように配される。トランジスタＭ１１は、ドレインおよびゲートがノードｎ３に接続され、ソースがノードｎ２に接続されるように配される。トランジスタＭ１２は、ドレインがノードｎ５に接続され、ソースがノードｎ２に接続され、ゲートがノードｎ３に接続されるように配される。トランジスタＭ１２は、トランジスタＭ１１に流れる基準電流Ｉ１の値に、トランジスタＭ１１とトランジスタＭ１２とのサイズ比を乗じた値（第１の電流値）の参照電流Ｉ２を流す。以下では、区別のため、この参照電流Ｉ２を「参照電流Ｉ２１」と記載する場合がある。トランジスタＭ１３は、カレントミラー回路１６１がノンアクティブのときのノードｎ３の電位をＬに固定するためのトランジスタであり、ドレインがノードｎ３に接続され、ソースがノードｎ２に接続され、ゲートで制御信号ｓｉｇ２１Ｂを受けるように配される。
【００２２】
カレントミラー回路１６２について、トランジスタＭ２０は、ドレインがノードｎ１に接続され、ソースがノードｎ４に接続され、ゲートで制御信号ｓｉｇ２２Ａを受けるように配される。トランジスタＭ２１は、ドレインおよびゲートがノードｎ４に接続され、ソースがノードｎ２に接続されるように配される。トランジスタＭ２２は、ドレインがノードｎ５に接続され、ソースがノードｎ２に接続され、ゲートがノードｎ４に接続されるように配される。トランジスタＭ２２は、トランジスタＭ２１に流れる基準電流Ｉ１の値に、トランジスタＭ２１とトランジスタＭ２２とのサイズ比を乗じた値（第２の電流値）の参照電流Ｉ２を流す。以下では、区別のため、この参照電流Ｉ２を「参照電流Ｉ２２」と記載する場合がある。トランジスタＭ２３は、カレントミラー回路１６２がノンアクティブのときのノードｎ４の電位をＬに固定するためのトランジスタであり、ドレインがノードｎ４に接続され、ソースがノードｎ２に接続され、ゲートで制御信号ｓｉｇ２２Ｂを受けるように配される。
【００２３】
トランジスタＭ１１とトランジスタＭ１２とのサイズ比は、電流‐電流変換部１６０の電流変換率に対応し、カレントミラー回路１６１の「ミラー比」とも表現されうる。トランジスタＭ２１とトランジスタＭ２２とのサイズ比についても同様である。
【００２４】
図２（ｂ）は、電流‐電流変換部１６０の動作タイミングチャートを示している。本構成例によると、電流‐電流変換部１６０は、制御信号ｓｉｇ２１Ａ、２１Ｂ、２２Ａ及び２２Ｂに応じた比率を基準電流Ｉ１の値に乗じて得られた値の参照電流Ｉ２１又はＩ２２を出力する。例えば、制御信号ｓｉｇ２１Ａ及びｓｉｇ２２ＢがＨ（ハイレベル）、且つ、制御信号ｓｉｇ２１Ｂ及びｓｉｇ２２ＡがＬ（ローレベル）の期間Ｐ１では、カレントミラー回路１６１はアクティブとなり、カレントミラー回路１６２はノンアクティブとなる。期間Ｐ１では、ノードｎ５には、第１の電流値の参照電流Ｉ２１が流れる。一方、制御信号ｓｉｇ２１Ａ及びｓｉｇ２２ＢがＬ、且つ、制御信号ｓｉｇ２１Ｂ及びｓｉｇ２２ＡがＨの期間Ｐ２では、カレントミラー回路１６１はノンアクティブとなり、カレントミラー回路１６２はアクティブとなる。期間Ｐ２では、ノードｎ５には、第２の電流値の参照電流Ｉ２２が流れる。
【００２５】
即ち、電流‐電流変換部１６０は、制御信号ｓｉｇ２に基づいて、カレントミラー回路１６１及び１６２の一方がアクティブになることにより、参照電流Ｉ２（参照電流Ｉ２１及びＩ２２の一方）を出力することができる。１回のＡＰＣを行っている間（即ち、ＡＰＣを開始してから発光素子１１０の発光量が目標値になるまでの間）、制御信号ｓｉｇ１及びｓｉｇ２の論理レベルは固定され、参照電流Ｉ２の値は固定される。
【００２６】
再び、図２（ａ）を参照すると、判定部１３０は、例えば、反転入力端子ＩＮＮ（図中において「−」で示された第１入力端子）および非反転入力端子ＩＮＰ（図中において「＋」で示された第２入力端子）を有する比較器を含む。反転入力端子ＩＮＮと、受光素子１２０のアノードと、ノードｎ５とは、互いに接続されており（例えば、配線パターン、コンタクトプラグ等の導電部材により互いに接続されており）、実質的に互いに同電位である。非反転入力端子ＩＮＰは、端子Ｔ３を介して参照電圧Ｖｒｅｆを受ける。
【００２７】
参照電圧Ｖｒｅｆは、例えば、電源電圧ＶＣＣと、接地用の電圧（ノードｎ２の電圧）ＶＳＳとの間の電圧であって、カレントミラー回路１６１（又は１６２）が参照電流Ｉ２１（又はＩ２２）を適切に出力することが可能となる範囲内の電圧であればよい。具体的には、参照電圧Ｖｒｅｆは、カレントミラー回路１６１及び１６２を構成するトランジスタＭ１１等がソースフォロワ動作を行うことが可能な範囲内の電圧であればよい。
【００２８】
例えば、受光素子１２０のモニタ電流Ｉｍの電流値が、参照電流Ｉ２（Ｉ２１又はＩ２２）の電流値よりも大きいとき（即ち、発光素子１１０の発光量が目標値より大きいとき）、反転入力端子ＩＮＮの電位は上がって参照電圧Ｖｒｅｆより高くなる。このことは、モニタ電流Ｉｍと参照電流Ｉ２（＜Ｉｍ）との差分（Ｉｍ−Ｉ２）により、反転入力端子ＩＮＮの入力容量が充電されると考えればよい。他の観点では、受光素子１２０で生じる単位時間あたりの電荷量が参照電流Ｉ２よりも大きいことによって受光素子１２０では電荷が増加し、該増加する電荷が反転入力端子ＩＮＮの電位を上げる、と考えてもよい。そして、駆動部１４０は、このときの判定部１３０の比較器の出力を受けて、発光素子１１０を駆動するための駆動力を下げる。
【００２９】
一方、モニタ電流Ｉｍの電流値が参照電流Ｉ２の電流値よりも小さいとき（即ち、発光素子１１０の発光量が目標値より小さいとき）、反転入力端子ＩＮＮの電位は下がって参照電圧Ｖｒｅｆより低くなる。このことは、モニタ電流Ｉｍと参照電流Ｉ２（＞Ｉｍ）との差分（Ｉ２−Ｉｍ）により、反転入力端子ＩＮＮの入力容量からの放電が生じると考えればよい。他の観点では、受光素子１２０で生じる単位時間あたりの電荷量が参照電流Ｉ２よりも小さいことによって受光素子１２０では電荷が減少し、該減少する電荷が反転入力端子ＩＮＮの電位を下げる、と考えてもよい。そして、駆動部１４０は、このときの判定部１３０の比較器の出力を受けて、発光素子１１０を駆動するための駆動力を上げる。
【００３０】
本実施形態では、判定部１３０は、このような構成によりモニタ電流Ｉｍと参照電流Ｉ２との比較を行い、その比較結果に基づいて、発光素子１１０の発光量を目標値にするためのフィードバック制御が為される。このフィードバック制御によりＡＰＣが実現される。モニタ電流Ｉｍの電流値と参照電流Ｉ２の電流値とが互いに等しくなったとき、反転入力端子ＩＮＮの電位は、参照電圧Ｖｒｅｆと同電位になる。このような状態になったときに、発光素子１１０の発光量が目標値になったと判定されてもよい。なお、フィードバック制御においては、必ずしも反転入力端子ＩＮＮの電位と参照電圧Ｖｒｅｆとを同電位にする必要はなく、モニタ電流Ｉｍと参照電流Ｉ２との比較結果に応じて発光素子１１０の発行量を変化させればよい。
【００３１】
制御部１７０は電流‐電流変換部１６０を制御する。具体的には、制御部１７０は、カレントミラー回路１６１及び１６２の一方をアクティブにして電流‐電流変換部１６０の電流変換比率（「ゲイン」と称されてもよい。）を制御し、参照電流Ｉ２（Ｉ２１又はＩ２２）を出力させる。例えば、制御部１７０は、不図示の計測部を含み、該計測部によって感光ドラム３００の使用量（回転回数、劣化の程度等）を計測し、その計測結果に基づく制御信号ｓｉｇ２を用いて電流‐電流変換部１６０を制御してもよい。
【００３２】
以上、本構成例によると、電流‐電流変換部１６０は、電流生成部１５０と判定部１３０との間の経路に配され、電流生成部１５０からの基準電流Ｉ１を制御信号ｓｉｇ２に基づいて変換（又は変調）し、参照電流Ｉ２１及びＩ２２の一方を出力する。電流‐電流変換部１６０の電流変換率は、制御信号ｓｉｇ２によって定まり、例えばＡＰＣのたびに適切に調整されてもよい（例えば、感光ドラム３００の使用量に応じてＡＰＣが為されてもよい。）。これにより、対応する目標値に発光素子１１０の発光量を近付けることができる。本構成例によると、処理対象がモニタ電流Ｉｍではなく基準電流Ｉ１であり、受光素子１２０と判定部１３０との間の経路に他の電流‐電流変換器が配置する必要がない。よって、本構成例によると、モニタ電流Ｉｍの判定部１３０へのフィードバック遅延を防ぐのに有利である。
【００３３】
特に、本構成例によると、電流‐電流変換部１６０の電流変換率が変更された場合のフィードバック遅延の変動量が、電流変換率の変更が可能な他の電流‐電流変換器が受光素子１２０と判定部１３０との間に配置された場合に比べて抑制されうる。このことは、動作周波数帯域が変わることによるフィードバック系の発振等を防ぎ、ＡＰＣを安定化させるのに有利である。なお、他の例では、受光素子１２０と判定部１３０との間に他の電流‐電流変換器が配されてもよい（即ち、モニタ電流Ｉｍに対して変換処理が為されてもよい）が、この場合、モニタ電流Ｉｍおよび基準電流Ｉ１の双方についての電流変換率を調整することにより、ＡＰＣを安定化させるとよい。
【００３４】
また、ここでは電流‐電流変換部１６０が２つの参照電流Ｉ２１及びＩ２２の一方を出力する態様を例示したが、電流‐電流変換部１６０は、互いに電流値が異なる３以上の参照電流の１つを出力してもよい。この場合、電流‐電流変換部１６０は、３以上のカレントミラー回路を含み、それらの１つをアクティブにすることによって上記３以上の参照電流の１つを出力するように構成されてもよい。他の例では、電流‐電流変換部１６０は、複数のカレントミラー回路の少なくとも１つ（２以上でも可）をアクティブにすることによって互いに電流値が異なる複数の参照電流の１つを出力するように構成されてもよい。
【００３５】
（第２実施形態）
図３を参照しながら第２実施形態を述べる。本実施形態は、発光素子１１０と判定部１３０と駆動部１４０とが単位グループＧを形成しており、基板２００がグループＧを複数有する、という点で前述の第１実施形態と異なる。ここでは説明を容易にするため、グループの数を２とし、また、区別のため、該２つのグループＧをそれぞれ「グループＧａ」、「グループＧｂ」とする。図３に例示されるように、基準電流生成部１５０および電流‐電流変換部１６０は、グループＧａ及びＧｂのそれぞれに対応して配されうる。
【００３６】
なお、図中において、上記発光素子１１０等の各素子ないし各ユニットがグループＧａ及びＧｂのいずれのものであるか区別するため、各素子ないし各ユニットの符号を「ａ」又は「ｂ」を付して示す。例えば、グループＧａの発光素子１１０を「発光素子１１０ａ」と示す（他の素子ないしユニットについても同様である。）。
【００３７】
また、グループＧａ及びＧｂは、例えば、カラー印刷対応の記録装置１００において、互いに異なるカラーに対応する。そのため、グループの数は、カラーの数に対応する。例えば、Ｙ（イエロー）、Ｍ（マゼンダ）、Ｃ（シアン）、Ｋ（ブラック）の４色対応の場合、グループＧの数を４にしてもよいし、他の例では、２つのグループＧを有する基板２００を２つ準備してもよい。
【００３８】
図３によると、比較部１３０ａ及び１３０ｂの双方と受光素子１２０との間の経路には、スイッチ部ＵＳＷが配されており、スイッチ部ＵＳＷは、受光素子１２０を、比較部１３０ａ及び１３０ｂの一方に接続する。このような構成によると、スイッチ部ＵＳＷを制御することにより、グループＧａについてのＡＰＣと、グループＧｂについてのＡＰＣとを順に行うことができる。具体的には、例えば、スイッチ部ＵＳＷは、受光素子１２０と比較部１３０ａとを電気的に接続し、グループＧａについてのＡＰＣにより発光素子１１０ａの発光量が調節された後、受光素子１２０と比較部１３０ｂとを電気的に接続する。
【００３９】
本実施形態によると、発光素子１１０と判定部１３０と駆動部１４０とにより形成されるグループＧを複数有する記録装置１００（例えばカラー印刷対応の記録装置１００）においても、第１実施形態と同様の効果が得られる。
【００４０】
（その他）
以上、いくつかの好適な実施形態を例示したが、本発明はこれらに限られるものではなく、本発明の趣旨を逸脱しない範囲で、その一部が変更されてもよい。
【符号の説明】
【００４１】
１００：記録装置、１１０：発光素子、１２０：受光素子、１３０：判定部、１４０：駆動部、１５０：電流生成部、１６０：電流‐電流変換部、１７０：制御部。
【図１】
2017063110.tif 000003
【図２】
2017063110.tif 000004
【図３】
2017063110.tif 000005